(57)【要約】【課題】  ＭＢＭＳ(マルチメディアブロードキャストマルチキャストサービス)を支援する移動通信システムで使用者端末のセル再選択方法を提供する。【解決手段】  本発明による使用者端末(ＵＥ)は、サービングセルでＭＢＭＳサービスを進行しながら、隣接セルのＭＢＭＳ制御チャンネル(ＭＣＣＨ)のアクセスに必要な構成情報と前記サービングセルのＭＢＭＳデータ伝送チャンネル(ＭＴＣＨ)のアクセスに必要な制御情報を含む前記サービングセルの制御データを前記サービングセルのＭＢＭＳ制御チャンネル(ＭＣＣＨ)を通じて受信して貯蔵し、前記隣接セルのうち、一つのターゲットセルにセル再選択が決定されれば、前記ターゲットセルに対して貯蔵された構成情報を参照して前記ターゲットセルに移動することを特徴とする。【選択図】  図６
2004312750.tif 000002
【特許請求の範囲】
【請求項１】
複数のセルを含み、マルチメディアブロードキャスト/マルチキャスト(ＭＢＭＳ)サービスを提供する移動通信システムで前記セルのうち、一つのサービングセルで前記ＭＢＭＳサービスを提供される移動端末のセル再選択方法において、
サービングセルでＭＢＭＳサービスを進行しながら、隣接セルのＭＢＭＳ制御チャンネル(ＭＣＣＨ)のアクセスに必要な構成情報と前記サービングセルのＭＢＭＳデータ伝送チャンネル(ＭＴＣＨ)のアクセスに必要な制御情報を含む前記サービングセルの制御データを前記サービングセルのＭＢＭＳ制御チャンネル(ＭＣＣＨ)を通じて受信して貯蔵する過程と、
前記隣接セルのうち、一つのターゲットセルにセル再選択が決定されれば、前記ターゲットセルに対して貯蔵された構成情報を参照して前記ターゲットセルに移動する過程とを含むことを特徴とする前記方法。
【請求項２】
前記構成情報は、
前記隣接セルのＭＣＣＨがマッピングされるコードチャンネルの各々のプライマリースクランブリングコード、伝送フォーマット、拡散因子(ＳＦ)及びコード番号を含むことを特徴とする請求項１に記載の前記方法。
【請求項３】
前記構成情報は、
前記隣接セルのＭＣＣＨに対するスケジューリング情報をさらに含むことを特徴とする請求項２に記載の前記方法。
【請求項４】
前記スケジューリング情報は、
該当ＭＣＣＨがマッピングされるコードチャンネル上で前記制御情報が伝送される周期、伝送時点及び一周期のデータ長さを含むことを特徴とする請求項３に記載の前記方法。
【請求項５】
前記制御情報は、
前記サービングセルのＭＴＣＨがマッピングされるコードチャンネルの拡散因子、コード番号及び伝送フォーマットセット(ＴＦＳ)を含むことを特徴とする請求項１に記載の前記方法。
【請求項６】
前記制御情報は、
前記サービングセルで提供するＭＢＭＳサービスの各々に対する識別子と、ＭＢＭＳストリームのために構成されたパケットデータコンバージョンスプロトコル(ＰＤＣＰ)情報と、ＭＢＭＳストリームのための無線リンク制御(ＲＬＣ)情報とをさらに含むことを特徴とする請求項５に記載の前記方法。
【請求項７】
前記制御データを受信する過程は、
前記サービングセルで前記制御データのスケジューリング情報を含むシステム情報を受信し、前記スケジューリング情報に応じて前記制御データを受信することを特徴とする請求項１に記載の前記方法。
【請求項８】
前記スケジューリング情報は、
前記サービングセルのＭＣＣＨがマッピングされるコードチャンネル上で前記制御データが伝送される周期、伝送時点及び一周期のデータ長さを含むことを特徴とする請求項７に記載の前記方法。
【請求項９】
前記制御データを受信する過程は、
前記サービングセルで前記制御データのスケジューリング情報を含む第１システム情報を受信し、前記サービングセルのＭＣＣＨがマッピングされるコードチャンネルの拡散因子、コード番号及び伝送フォーマットセット(ＴＦＳ)を含む第２システム情報を受信し、前記第１及び第２システム情報を用いて前記制御データを受信することを特徴とする請求項１に記載の前記方法。
【請求項１０】
前記スケジューリング情報は、
前記サービングセルのＭＣＣＨがマッピングされるコードチャンネル上で前記制御データが伝送される周期、伝送時点及び一周期のデータ長さを含むことを特徴とする請求項９に記載の前記方法。
【請求項１１】
前記サービングセル及び隣接セルからの信号品質を測定する過程と、
前記測定結果に応じて前記サービングセルから提供されたサービス基準を満たす隣接セルが存在すれば、前記サービス基準を満たす隣接セルを候補セルとして設定する過程と、
前記候補セルに対して貯蔵された構成情報を用いて前記候補セルのＭＢＭＳ制御チャンネル(ＭＣＣＨ)を通じて前記候補セルのＭＢＭＳデータ伝送チャンネル(ＭＴＣＨ)のアクセスに必要な制御情報を受信して貯蔵する過程と、
前記サービングセルと前記候補セルの優先順位を判断する過程と、
前記サービングセルより高い優先順位を有する少なくとも一つの候補セルが存在すれば、最も高い優先順位を有する候補セルをターゲットセルとして決定し、前記ターゲットセルに対して貯蔵された制御情報を用いて前記ターゲットセルのＭＴＣＨを通じてＭＢＭＳデータストリームを受信する過程とをさらに含むことを特徴とする請求項１に記載の前記方法。
【請求項１２】
前記信号品質は、
前記隣接セルの共通パイロットチャンネル(ＣＰＩＣＨ)に対する受信信号符号電力(ＲＳＣＰ)と、チップエネルギー対雑音比(Ｅｃ/Ｎｏ)であることを特徴とする請求項１１に記載の前記方法。
【請求項１３】
前記サービス基準は、
前記測定された受信信号符号電力が前記サービングセルから提供された第１最小値より大きく、前記測定されたチップエネルギー対雑音比が前記サービングセルから提供された第２最小値より大きい場合、前記サービス基準を満たすと判断することを特徴とする請求項１１に記載の前記方法。
【請求項１４】
前記優先順位を判断する過程は、
前記サービングセルに対して予め与えられた加重値に前記サービングセルに対して測定された受信信号符号電力又はチップエネルギー対雑音比を加算して前記サービングセルの優先順位を計算する過程と、
前記候補セルの各々に対して測定した受信信号符号電力又はチップエネルギー対雑音比から前記候補セルの各々に対して予め与えられた加重値を減算して前記候補セルの優先順位を計算する過程とを含むことを特徴とする請求項１１に記載の前記方法。
【請求項１５】
複数のセルを含み、マルチメディアブロードキャスト/マルチキャスト(ＭＢＭＳ)サービスを提供する移動通信システムで前記セルの間を移動する移動端末に前記ＭＢＭＳサービスを提供する方法において、
サービングセルの第１共通制御チャンネルを通じてサービングセルのＭＢＭＳサービスのための第２共通制御チャンネルの情報を含むシステム情報を伝送する過程と、
前記サービングセルのＭＢＭＳデータ伝送チャンネル(ＭＴＣＨ)を通じてＭＢＭＳサービスを提供しながら、前記サービングセルの前記第２共通制御チャンネルを通じて隣接セルのＭＢＭＳ制御チャンネル(ＭＣＣＨ)のアクセスに必要な構成情報とサービングセルのＭＢＭＳデータ伝送チャンネル(ＭＴＣＨ)のアクセスに必要な制御情報を含む制御データを伝送する過程とを含むことを特徴とする前記方法。
【請求項１６】
前記システム情報は、
前記制御データのスケジューリング情報を含む第１システム情報と、
前記制御データが伝送されるコードチャンネルの拡散因子、コード番号及び伝送フォーマットセット(ＴＦＳ)を含む第２システム情報とを含むことを特徴とする請求項１５に記載の前記方法。
【請求項１７】
前記構成情報は、
前記隣接セルのＭＣＣＨがマッピングされるコードチャンネルの各々のプライマリースクランブリングコード、伝送フォーマット、拡散因子(ＳＦ)及びコード番号を含むことを特徴とする請求項１５に記載の前記方法。
【請求項１８】
前記構成情報は、
前記隣接セルのＭＣＣＨに対するスケジューリング情報をさらに含むことを特徴とする請求項１７に記載の前記方法。
【請求項１９】
前記スケジューリング情報は、
該当ＭＣＣＨがマッピングされるコードチャンネル上で前記制御情報が伝送される周期、伝送時点及び一周期のデータ長さを含むことを特徴とする請求項１８に記載の前記方法。
【請求項２０】
前記制御情報は、
前記サービングセルのＭＴＣＨがマッピングされるコードチャンネルの拡散因子とコード番号を含むことを特徴とする請求項１５に記載の前記方法。
【請求項２１】
前記制御情報は、
前記サービングセルで提供するＭＢＭＳサービスの各々に対するサービス識別子と、ＭＢＭＳストリームのためのパケットデータコンバージョンスプロトコル(ＰＤＣＰ)情報と、ＭＢＭＳストリームのための無線リンク制御(ＲＬＣ)情報と、ＭＢＭＳストリームの伝送フォーマットセット(ＴＦＳ)とをさらに含むことを特徴とする請求項２０に記載の前記方法。
【請求項２２】
複数のセルを含み、マルチメディアブロードキャスト/マルチキャスト(ＭＢＭＳ)サービスを提供する移動通信システムで前記セルのうち、一つのサービングセルで前記ＭＢＭＳサービスを提供される移動端末のセル再選択方法において、
サービングセルでＭＢＭＳサービスを進行する途中にセル再選択のための候補セルが検出されると、前記候補セルのＭＢＭＳ制御チャンネル(ＭＣＣＨ)のアクセスに必要なスケジューリング情報を含む前記候補セルの第１システム情報と、前記候補セルのＭＣＣＨがマッピングされるコードチャンネルに関連された前記候補セルの第２システム情報とを受信する過程と、
前記第１及び第２システム情報を用いて前記候補セルのＭＣＣＨを通じて前記候補セルのＭＢＭＳデータ伝送チャンネル(ＭＴＣＨ)のアクセスに必要な制御情報を受信して貯蔵する過程と、
前記候補セルのうち、一つのターゲットセルにセル再選択が決定されると、前記ターゲットセルに対して貯蔵された制御情報を参照して前記ターゲットセルに移動する過程とを含むことを特徴とする前記方法。
【請求項２３】
前記スケジューリング情報は、
該当候補セルのＭＣＣＨがマッピングされるコードチャンネル上で該当候補セルの制御情報が伝送される周期、伝送時点及び一周期のデータ長さを含むことを特徴とする請求項２２に記載の前記方法。
【請求項２４】
前記第２システム情報は、
該当候補セルのＭＣＣＨがマッピングされるコードチャンネルの拡散因子、コード番号及び伝送フォーマットセット(ＴＦＳ)を含むことを特徴とする請求項２２に記載の前記方法。
【請求項２５】
前記制御情報は、
該当候補セルのＭＴＣＨがマッピングされるコードチャンネルの拡散因子、コード番号及び伝送フォーマットセットと、該当候補セルで提供するＭＢＭＳサービスの各々に対するサービス識別子と、ＭＢＭＳストリームのためのパケットデータコンバージョンスプロトコル(ＰＤＣＰ)情報と、ＭＢＭＳストリームのための無線リンク制御(ＲＬＣ)情報とをさらに含むことを特徴とする請求項２２に記載の前記方法。
【請求項２６】
複数のセルを含み、マルチメディアブロードキャスト/マルチキャスト(ＭＢＭＳ)サービスを提供する移動通信システムで前記セルの間を移動する移動端末に前記ＭＢＭＳサービスを提供する方法において、
移動端末にＭＢＭＳサービスを提供するセルで、前記セルのＭＢＭＳ制御チャンネル(ＭＣＣＨ)のアクセスに必要なスケジューリング情報を含む第１システム情報と、前記セルのＭＣＣＨがマッピングされるコードチャンネルに関連された前記候補セルの第２システム情報とを伝送する過程と、
前記セルのＭＣＣＨを通じて前記セルのＭＢＭＳデータ伝送チャンネル(ＭＴＣＨ)のアクセスに必要な制御情報を伝送する過程とを含むことを特徴とする前記方法。
【請求項２７】
前記スケジューリング情報は、
前記セルのＭＣＣＨがマッピングされるコードチャンネル上で前記セルの制御情報が伝送される周期、伝送時点及び一周期のデータ長さを含むことを特徴とする請求項２６に記載の前記方法。
【請求項２８】
前記第２システム情報は、
前記セルのＭＣＣＨがマッピングされるコードチャンネルの拡散因子、コード番号及び伝送フォーマットセット(ＴＦＳ)を含むことを特徴とする請求項２６に記載の前記方法。
【請求項２９】
前記制御情報は、
前記セルのＭＴＣＨがマッピングされるコードチャンネルの拡散因子、コード番号及び伝送フォーマットセットと、前記セルで提供するＭＢＭＳサービスの各々に対するサービス識別子と、ＭＢＭＳストリームのためのパケットデータコンバージョンスプロトコル(ＰＤＣＰ)情報と、ＭＢＭＳストリームのための無線リンク制御(ＲＬＣ)情報とをさらに含むことを特徴とする請求項２６に記載の前記方法。
【発明の詳細な説明】
【技術分野】
【０００１】
本発明は移動通信システムの移動性支援に係り、特に、マルチメディアブロードキャスト/マルチキャストサービス(ＭＢＭＳ:Multimedia Broadcast/Multicast Service)を支援される使用者端末でセル選択を行う方法に関する。
【背景技術】
【０００２】
現在、通信産業の発達により符号分割多重接続(ＣＤＭＡ:Code Division Multiple Access)移動通信システムで提供するサービスは音声サービスのみならず、パケットデータ、サーキットデータなどのような大容量のデータを伝送するマルチキャスティング/マルチメディア通信に発展されている。
【０００３】
ヨーロッパ式の移動通信システムであるＧＳＭ(Global System for Mobile Communications)とＧＰＲＳ(General Packet Radio Services)を基にして広帯域符号分割多重接続を使用する第３世代の移動通信システムであるＵＭＴＳ(Universal Mobile Telecommunication Service)システムでは、前記マルチキャスティング/マルチメディア通信を支援するために一つのデータソースから多数の使用者端末機(User Equipment、以下、“ＵＥ”と称する)に同じデータストリームを提供する放送/マルチキャストサービス(Broadcast/Multicast Service)を支援する。前記放送/マルチキャストサービスはメッセージ中心のサービスであるセル放送サービス(ＣＢＳ:Cell Broadcast Service)と実時間映像及び音声、静止映像、文字などのマルチメディア形態を支援するマルチメディアブロードキャスト/マルチキャストサービス（ＭＢＭＳ：Multimedia Broadcast/Multicast Service)に分けられる。
【０００４】
図１は、移動通信システムでＭＢＭＳサービスを提供するためのネットワーク構造を概略的に示した図である。図１を参照すれば、マルチキャスト/放送-サービスセンター(ＭＢ-ＳＣ:Multicast/Broadcast- Service Center)１１０はＭＢＭＳストリームを提供するソースであり、前記ＭＢ-ＳＣ１１０はＭＢＭＳサービスに対するストリームをスケジューリング(scheduling)して伝送ネットワーク(transit Ｎ/Ｗ)１２０に伝える。前記伝送ネットワーク１２０は前記ＭＢ-ＳＣ１１０とサービスパケット無線サービス支援ノード(ＳＧＳＮ:Serving GPRS Support Node)１３０との間に存在するネットワークを意味し、前記ＭＢ-ＳＣ１１０から伝えられたＭＢＭＳサービスに対するストリームを前記ＳＧＳＮ１００に伝える。ここで、前記伝送ネットワーク１２０はゲートウェイパケット無線サービス支援ノード(ＧＧＳＮ:Gateway GPRS Support Node)と外部ネットワークなどで構成される。
【０００５】
前記伝送ネットワーク１２０を通じてＭＢＭＳサービスに対するストリームを受信したＳＧＳＮ１３０はＭＢＭＳサービスを受けようとする加入者、すなわち、ＵＥ(user equipments)１６１，１６２，１６３，１７１，１７２のＭＢＭＳ関連サービスを制御する役割をする。例えば、ＳＧＳＮ１３０は加入者の各々のＭＢＭＳサービス課金関連データを管理及びＭＢＭＳサービスデータを関連無線ネットワーク制御器(ＲＮＣ:Radio Network Controller)１４０に選別的に伝送する。さらに、前記ＳＧＳＮ１３０は前記ＭＢＭＳサービスについてサービスコンテキスト(service context)を構成して管理し、前記ＭＢＭＳサービスに対するストリームを前記ＲＮＣ１４０に伝える。
【０００６】
前記ＲＮＣ１４０は、自分が管理しているNode Ｂのうち、ＭＢＭＳサービスを要求するＵＥ１６１，１６２，１６３，１７１，１７２が存在するセルを担当するNode Ｂ１６０，１７０に前記ＭＢＭＳサービスストリームを伝送する。前記ＲＮＣ１４０と前記NodeＢ１６０，１７０はＵＴＲＡＮ(UMTS Terrestrial Radio Access Network)を構成する。
【０００７】
特定のＭＢＭＳサービスを受信しようとするノードＢ１６０に属するセル１はＵＥ１ １６１、ＵＥ２  １６２、ＵＥ３ １６３を含み、ノードＢ１７０に属するセル２はＵＥ４ １７１、ＵＥ５ １７２を含む(本明細書では“セル”は“ノードＢ”と類似した意味として使用する)。前記ＲＮＣ１４０は、前記ＭＢＭＳサービスを提供するために前記ノードＢ１６０，１７０と前記ＵＥ１６１，１６２，１６３，１７１，１７２との間に設定される無線チャンネルを制御する。図１に示したように、一つのNode ＢとそのNode Ｂに属するＵＥとの間にはＭＢＭＳサービスを提供するために一つの無線チャンネルが構成される。
【０００８】
このように構成されるＭＢＭＳサービスシステムにおいて、ＭＢＭＳサービスを利用する移動端末の使用者がサービングセル(serving cell)という一つのセルからターゲットセルという他のセルへ移動する場合、セル再選択(cell reselection)手順により移動端末の制御が前記サービングセルから前記ターゲットセルにハンドオーバーされるべきである。この際、前記移動端末がターゲットセルでもソースセルで利用されたものと同じＭＢＭＳサービスを続けて利用するためには、ターゲットセルの情報を獲得する必要がある。前記ターゲットセルの情報には特にターゲットセルでＭＢＭＳサービスのデータストリームを運ぶ伝送チャンネルのアクセスに必要な制御情報が含まれる。これにより、セル再選択の実行時に移動端末がターゲットセルの情報を獲得するための多少の遅延が発生する。しかし、使用者はセルの間を移動しながら、ＭＢＭＳサービスを中断なしに受けようとする。したがって、移動端末がセルの間を移動するとき、ターゲットセルの情報を迅速に獲得してＭＢＭＳサービスが中断なしに提供されるようにするセル再選択技術が必要である。
【発明の開示】
【発明が解決しようとする課題】
【０００９】
したがって、前記従来の技術の問題点を解決するための本発明の目的は、使用者端末がセル間の移動を行う場合、ＭＢＭＳサービスを中断なしに受信する方法を提供することにある。
本発明の他の目的は、ＭＢＭＳサービスを受ける使用者端末の移動性を支援することにより、効率的なサービスを提供する方法を提供することにある。
本発明のさらに他の目的は、使用者端末が隣接セルのＭＢＭＳデータを受けるために必要なＭＢＭＳ制御情報を予め貯蔵することにより、使用者端末の呼移動性を効率的に維持させる方法を提供することにある。
【課題を解決するための手段】
【００１０】
前記目的を達成するための本発明の第１見地によれば、複数のセルを含み、マルチメディアブロードキャスト/マルチキャスト(ＭＢＭＳ)サービスを提供する移動通信システムで前記セルのうち、一つのサービングセルで前記ＭＢＭＳサービスを提供される移動端末のセル再選択方法において、サービングセルでＭＢＭＳサービスを進行しながら、隣接セルのＭＢＭＳ制御チャンネル(ＭＣＣＨ)のアクセスに必要な構成情報と前記サービングセルのＭＢＭＳデータ伝送チャンネル(ＭＴＣＨ)のアクセスに必要な制御情報を含む前記サービングセルの制御データを前記サービングセルのＭＢＭＳ制御チャンネル(ＭＣＣＨ)を通じて受信して貯蔵する過程と、前記隣接セルのうち、一つのターゲットセルにセル再選択が決定されれば、前記ターゲットセルに対して貯蔵された構成情報を参照して前記ターゲットセルに移動する過程とを含むことを特徴とする。
【００１１】
本発明の第２見地によれば、複数のセルを含み、マルチメディアブロードキャスト/マルチキャスト(ＭＢＭＳ)サービスを提供する移動通信システムで前記セルの間を移動する移動端末に前記ＭＢＭＳサービスを提供する方法において、サービングセルの第１共通制御チャンネルを通じてサービングセルのＭＢＭＳサービスのための第２共通制御チャンネルの情報を含むシステム情報を伝送する過程と、前記サービングセルのＭＢＭＳデータ伝送チャンネル(ＭＴＣＨ)を通じてＭＢＭＳサービスを提供しながら、前記サービングセルの前記第２共通制御チャンネルを通じて隣接セルのＭＢＭＳ制御チャンネル(ＭＣＣＨ)のアクセスに必要な構成情報とサービングセルのＭＢＭＳデータ伝送チャンネル(ＭＴＣＨ)のアクセスに必要な制御情報を含む制御データを伝送する過程とを含むことを特徴とする。
【００１２】
本発明の第３見地によれば、複数のセルを含み、マルチメディアブロードキャスト/マルチキャスト(ＭＢＭＳ)サービスを提供する移動通信システムで前記セルのうち、一つのサービングセルで前記ＭＢＭＳサービスを提供される移動端末のセル再選択方法において、サービングセルでＭＢＭＳサービスを進行する途中にセル再選択のための候補セルが検出されると、前記候補セルのＭＢＭＳ制御チャンネル(ＭＣＣＨ)のアクセスに必要なスケジューリング情報を含む前記候補セルの第１システム情報と、前記候補セルのＭＣＣＨがマッピングされるコードチャンネルに関連された前記候補セルの第２システム情報とを受信する過程と、前記第１及び第２システム情報を用いて、前記候補セルのＭＣＣＨを通じて前記候補セルのＭＢＭＳデータ伝送チャンネル(ＭＴＣＨ)のアクセスに必要な制御情報を受信して貯蔵する過程と、前記候補セルのうち、一つのターゲットセルにセル再選択が決定されると、前記ターゲットセルに対して貯蔵された制御情報を参照して前記ターゲットセルに移動する過程とを含むことを特徴とする。
【００１３】
本発明の第４見地によれば、複数のセルを含み、マルチメディアブロードキャスト/マルチキャスト(ＭＢＭＳ)サービスを提供する移動通信システムで前記セルの間を移動する移動端末に前記ＭＢＭＳサービスを提供する方法において、移動端末にＭＢＭＳサービスを提供するセルで、前記セルのＭＢＭＳ制御チャンネル(ＭＣＣＨ)のアクセスに必要なスケジューリング情報を含む第１システム情報と、前記セルのＭＣＣＨがマッピングされるコードチャンネルに関連された前記候補セルの第２システム情報とを伝送する過程と、前記セルのＭＣＣＨを通じて前記セルのＭＢＭＳデータ伝送チャンネル(ＭＴＣＨ)のアクセスに必要な制御情報を伝送する過程とを含むことを特徴とする。
【発明の効果】
【００１４】
本発明によれば、ＭＢＭＳサービスを受けるＵＥの移動性を支援することにより、効率的なＭＢＭＳサービスを支援する。さらに、前記ＵＥはサービングセルからターゲットセルにセル再選択を実行する前に前記ターゲットセルで支援するＭＢＭＳサービスに対する制御情報を予め貯蔵することにより、ＭＢＭＳサービスを中断なしに提供することができる。 
【発明を実施するための最良の形態】
【００１５】
以下、本発明の好適な実施形態について添付図面を参照して詳細に説明する。下記の説明において、本発明の要旨のみを明瞭するために公知の機能又は構成に対する詳細な説明は省略する。
本発明では、ＭＢＭＳサービスを利用する移動端末(ＵＥ)が移動可能な隣接セルのＭＢＭＳサービス関連情報を予め貯蔵することにより、セル再選択による通話遅延を防止する。本明細書で“ＭＢＭＳサービス関連情報”は隣接セルで前記ＭＢＭＳサービスの受信に必要な情報をいい、ＭＢＭＳサービスのトラフィックチャンネルと制御チャンネルに関連した情報を含む。
【００１６】
本発明の好ましい実施例を説明するまえに、移動端末のＭＢＭＳサービスについて説明する。より詳しくは、ＭＢＭＳサービスの利用に必要な無線上の物理チャンネル及び伝送チャンネルの使用を説明する。
【００１７】
図２は、ＭＢＭＳサービスを利用するＵＥが一つのセルから他のセルに移動しながら、セル再選択を行う動作を示した図である。図２に示したように、セル１ １６０は第1共通制御物理チャンネル(Primary Common Control Physical Channel:Ｐ-ＣＣＰＣＨ)１６５、第２共通制御物理チャンネル(Secondary Common Control Physical Channel:Ｓ-ＣＣＰＣＨ)１６６及びＭＢＭＳ伝送チャンネル(MBMS Transport Channel:ＭＴＣＨ)１６４を通じてＭＢＭＳサービスを支援する。同様に、セル２ １７０は第１共通制御物理チャンネル１７５、第２共通制御物理チャンネル１７６及びＭＴＣＨ１７３を通じてＭＢＭＳサービスを支援する。前記ＭＴＣＨ１６４,１７３はＭＢＭＳサービストラフィック、すなわち、データストリームを運搬する。ここで、セル１ １６０とセル２ １７０は一つのＲＮＣ１４０により制御されると仮定する。セル１ １６０から前記ＭＢＭＳサービスを支援されるＵＥ１ １６１は前記セル２ １７０から伝送される信号が一定の条件を満たすと、ＲＮＣ１４０の制御下でセル２ １７０に移動する。このようなセル間の移動動作を“セル再選択”という。
【００１８】
図３は前記Ｐ-ＣＣＰＣＨ１６５,１７５の構造を示した図である。図３を参照すれば、前記Ｐ-ＣＣＰＣＨは該当セルのシステム情報を伝送し、該当セルの使用可能な２５６個の直交可変拡散係数(Orthogonal Variable Spreading Factor:ＯＶＳＦ)コードのうち、一番目のコードＣ(２５６，１)を使用する。具体的には、前記Ｐ-ＣＣＰＣＨは８０ｍｓの単位で一つのマスター情報ブロック(Master Information Block:ＭＩＢ)とシステム情報ブロック(System Information Block:ＳＩＢ)とを伝送する。
【００１９】
前記ＭＩＢはシステムのスケジューリング情報(すなわち、各ＳＩＢに対するスケジューリング情報)とシステム情報の変更可否を判断できる情報を含み、８０ｍｓごとに反復伝送される。前記ＳＩＢは保有情報の種類に応じて１６種に分けられるが、次に代表的なＳＩＢの種類を説明する。
【００２０】
ＳＩＢ１は各種のタイマー、カウンター値及び核心網(Core Network:ＣＮ)に関連した情報を含む。ＳＩＢ２はセルの属するＵＲＡ(UTRAN Registration Area)の識別子を含む。ＳＩＢ３はセル選択と再選択に必要な情報を含む。ＳＩＢ４は連結モードのＵＥが使用するセル選択と再選択に必要な情報を含む。ＳＩＢ５は該当セルに構成されている共通チャンネルに関する情報を含む。ＳＩＢ６は連結モードのＵＥが使用する該当セルの共通チャンネルに対する情報を含む。
【００２１】
専用チャンネル(Dedicate Channel:ＤＣＨ)を備えないＵＥは特定のセルからサービスを受けるために前記Ｐ-ＣＣＰＣＨを通じて伝送されるＳＩＢを受信し、必要な情報を貯蔵する。特に、ＵＥは上述したＳＩＢ５又はＳＩＢ６を通じて該当セルのＳ-ＣＣＰＣＨ関連情報を受信し、前記情報を用いてＳ-ＣＣＰＣＨをアクセスする。
【００２２】
図４は前記Ｓ-ＣＣＰＣＨ１６６，１７６の構造を示した図である。図４を参照すれば、前記Ｓ-ＣＣＰＣＨは上位階層の順方向アクセスチャンネル(Forward Access channel:ＦＡＣＨ)と呼出チャンネル(Paging Channel:ＰＣＨ)などの共通伝送チャンネルとマッピングされる。前記Ｓ-ＣＣＰＣＨの一無線フレームは１５個のスロットで構成され、各スロットはデータ部分４２０、ＴＦＣＩ(Transport Format Combination Indicator)部分４１０及びパイロット部分４３０で構成される。前記データ部分４２０はＦＡＣＨ(Forward Access Channel)又はＰＣＨのデータを収納し、前記ＴＦＣＩ部分４１０は前記データ部分４２０を通じて伝送されるデータの伝送フォーマット(ＴＦ)を知らせるＴＦＣＩ情報を収納する。前記パイロット部分４３０は該当セルの識別情報であるパイロットビットを収納する。
【００２３】
前記ＦＡＣＨは一つのＵＥに従属されるチャンネルでない多数のＵＥが共有する伝送チャンネルであるが、特定のＵＥのためのデータや制御情報を伝送するための用途として使用される。ＲＮＣから特定状態(すなわち、Cell_FACH状態)に留まるように指示されたＵＥは前記Ｓ-ＣＣＰＣＨを通じて伝送されるＦＡＣＨのデータを全部受信し、前記受信したデータのヘッダー部分を参照して所望のデータを処理し、残りデータを廃棄する。
【００２４】
図５は、ＭＢＭＳ通信システムで専用チャンネルを備えないＵＥが一セルから他のセルに移動する動作を示したものである。ここで、“専用チャンネルを備えない”とは、前記ＵＥがアイドルモード(idle mode)、Cell_PCH、Cell_FACH、URA_PCH状態のうち、いずれか一つの状態にあるというこを意味する。
【００２５】
図５を参照すれば、ステップ５１０で、ＵＥが現在ＭＢＭＳサービスを支援されるサービングセルから隣接セルに対する情報を受信する。前記隣接セルの情報には前記隣接セルに対するセル識別子(Cell ID)とスクランブリングコードなどが含まれる。前記ＵＥは前記サービングセルから前記隣接セルにセル再選択を行うかを判断するために、ステップ５２０で前記隣接セルの受信品質を判断するために前記隣接セルから送出される第１共通パイロットチャンネル(Primary Common Pilot Channel:Ｐ-ＣＰＩＣＨ)の電力レベルを測定する。
【００２６】
ステップ５３０で、前記ＵＥは前記サービングセルの受信電力レベルと前記隣接セルの受信電力レベルを比較する。前記比較結果、前記サービングセルの受信電力レベルが前記隣接セルの受信電力レベルより大きければ、セル再選択は実行されない。しかし、前記サービングセルの受信電力レベルが前記隣接セルのうち、いずれか一つの受信電力レベルより小さければ、ステップ５４０で前記ＵＥは最大受信電力レベルを有する隣接セルをターゲットセルとして決定し、前記ターゲットセルに移動してＭＢＭＳサービスを続けて受信する。
【００２７】
前記ＵＥが前記ターゲットセルで前記ＭＢＭＳサービスを利用するためには、前記ターゲットセルのシステム情報を受信して通信開始可能状態となるべきである。このために、前記ＵＥは前記ターゲットセルでＭＢＭＳサービスに関連したチャンネルのアクセスに必要な情報を獲得する。
【００２８】
以下、ＭＢＭＳサービスに関連する無線チャンネルについて説明する。ＭＢＭＳサービスのデータストリームを運搬するチャンネルはＭＴＣＨ(MBMS Transmit Channel)と称する。前記ＭＴＣＨが特定のＭＢＭＳストリームと対応する場合、一つのセルに多数のＭＢＭＳサービスが提供されると、前記セルには多数のＭＴＣＨが構成される。ＵＥはＭＴＣＨを受信するために、ＭＣＣＨ(MBMS Control Channel)を通じて伝えられる情報を受信する。ＭＣＣＨはＭＴＣＨの受信に必要な情報及びＭＴＣＨを受けるために設定されるべき制御情報を提供する。本発明では前記ＭＣＣＨを通じて運搬される情報をＭＴＣＨ制御情報又はＭＴＣＨデータと称する。
【００２９】
ＭＣＣＨは一つのセル内で一つのみ構成される。ＵＥは特定のＭＢＭＳストリームＸを受信するためにＭＣＣＨを通じて前記ＭＢＭＳサービスＸのデータストリームが伝送されるＭＴＣＨ Ｘ関連情報(例えば、ＭＴＣＨ Ｘの無線ベアラー(Radio Bearer)情報、前記ＭＴＣＨがマッピングされるトランスポートチャンネル及び物理チャンネルの情報など)を獲得する。本発明ではＭＢＭＳサービスを受信しているＵＥの移動性を支援しながら、データの損失を最小化するために下記のような方式を提示する。
【００３０】
1. 各セルは自分のセル内でサービス可能なＭＢＭＳサービスに対する関連制御情報をＭＣＣＨを用いて周期的に放送する。
２. ＵＥはセル再選択の実行前にターゲットセルのＭＢＭＳサービス関連制御情報を取得してターゲットセルに移動するとともに、該当ターゲットセルのＭＴＣＨの受信を開始可能にする。
【００３１】
本発明を具現するために、ＵＥは隣接セルのＭＢＭＳ制御情報の取得時点を判断すべきである。このために本発明の好ましい実施例では基準ＭＢＭＳ(Criteria_MBMS)条件を定義する。移動端末は前記基準ＭＢＭＳ条件を満たすセルのみに対してＭＢＭＳサービス関連制御情報を獲得する。
【００３２】
図６は、本発明の好ましい実施例によるＭＢＭＳ通信システムで移動端末がセル再選択を行う動作を示したフローチャートである。図６を参照すれば、ステップ６１０でＵＥはサービングセルから隣接セルに対する情報と基準ＭＢＭＳ条件判断に必要な情報を収集する。前記情報はＳＩＢ３、ＳＩＢ４又はＳＩＢ１１、ＳＩＢ１２を用いるか、新たなＳＩＢを用いて収集される。次に前記ＳＩＢ３、ＳＩＢ４又はＳＩＢ１１、ＳＩＢ１２について説明する。
【００３３】
前記ＳＩＢ３とＳＩＢ４はそれぞれ待機モードとCell_PCH/URA_PCH/Cell_FACH状態に対して同じ種類のシステム情報を保有し、ＳＩＢ１１とＳＩＢ１２は同様にそれぞれ待機モードとCell_PCH/URA_PCH  /Cell_FACH状態に対して同じ情報を保有している。したがって、説明の便宜上、ＳＩＢ３とＳＩＢ４を合わせてＳＩＢ３/４、ＳＩＢ１１とＳＩＢ１２を合わせてＳＩＢ１１/１２として表現する。ＳＩＢ３/４にはＵＥがセル再選択のために必要なパラメータとしてＱ_rxlevmin、Ｑ_qualmin及びＱ-hystなどを保有している。すなわち、Ｑ_rxlevminはＰ-ＣＰＩＣＨの受信信号符号電力(Received Signal Code Power:ＲＳＣＰ)の最小値を示し、Ｑ_qualminはＰ-ＣＰＩＣＨのチップエネルギー対雑音比(Ｅｃ/Ｎｏ)の信号対雑音比の最小値を示す。Ｑ_hystは隣接セルよりサービングセルに優先順位を与えるために提供される加重値を示す。さらに、ＲＮＣは前記ＳＩＢ３/４を通じて前記ＵＥがセル再選択のためにＲＳＣＰを使用するか、Ｅｃ/Ｎｏを使用するかを指示する。
さらに、前記ＳＩＢ１１/１２にはＵＥがセル再選択を行うために測定すべき隣接セルの情報としてセル識別子とスクランブリングコードなどが含まれる。ＵＥはＳＩＢ１１/１２を受信することにより、どのセルのＰ-ＣＰＩＣＨを測定するかを認知する。
【００３４】
ステップ６２０で、ＵＥは前記隣接セルに対する信号品質の測定を行う。具体的にＵＥは前記隣接セルのＰ-ＣＰＩＣＨに対してＥｃ/Ｎｏ又はＱ_qualmeasとＲＳＣＰ又はＱ_rxlevmeasを測定する。
【００３５】
ステップ６３０で、ＵＥは前記隣接セルから測定された値が基準ＭＢＭＳ条件を満たすかを判断する。ここで、前記基準ＭＢＭＳ条件を満たすセルは候補セル(Candidate Cell)として見なされる。前記基準ＭＢＭＳ条件の満足可否は次の数式により判断される。
【００３６】
基準ＭＢＭＳ条件
Ｓ_rxlev ＞ ０ and Ｓ_qual ＞ ０ 
Ｓ_rxlev = Ｑ_rxlevmeas − Ｑ_rxlevmin 
Ｓ_qual = Ｑ_qualmeas − Ｑ_qualmin 
【００３７】
前記Ｑ_rxlevminとＱ_qualminパラメータは前記ＳＩＢ３/４を通じてＵＥに伝えられる値であり、前記Ｑ_rxlevmeasとＱ_qualmeasパラメータはステップ６２０で測定される信号品質値である。すなわち、前記隣接セルのうち、前記Ｑ_rxlevminとＱ_qualminより大きいＱ_rxlevmeasとＱ_qualmeasを有する隣接セルは候補セルとして見なされる。
【００３８】
ステップ６４０で、前記ＵＥは前記候補セルから伝送されるＭＣＣＨデータを受信して貯蔵する。前記候補セルが複数個である場合、前記ＵＥは複数の候補セルから伝送されるＭＣＣＨを受信して必要な全ての情報を貯蔵する。
【００３９】
ステップ６５０で、前記ＵＥは前記候補セルのうち、いずれか一つにセル再選択を行うかを判断する。前記ステップ６５０では、前記候補セルと前記サービングセルの優先順位を比較する。前記候補セルとサービングセルの優先順位を示すＲ_ｓとＲ_ｎは次の数式のように計算される。
【００４０】
Ｒ_ｓとＲ_ｎの計算
Ｒ_ｓ = Ｑ_meas_s ＋ Ｑ_hyst_s 
Ｒ_ｎ = Ｑ_meas_n − Ｑ_offset_s_n
【００４１】
ここで、前記Ｑ_meas_sはサービングセルのＱ_rxlevmeas又はＱ_qualmeasを示す。前記Ｑ_meas_nは隣接セルのＱ_rxlevmeas又はＱ_qualmeasを示す。前記Ｑ_hyst_sは前記ＳＩＢ３/４により与えられる値であり、隣接セルよりサービングセルに優先順位を与えるための加重値である。前記Ｑ_offset_s_nは前記ＳＩＢ１１/１２で隣接セルに対して与えられる値であり、セル別にセル再選択の優先順位を与える役割をする。例えば、ＲＮＣはセル再選択の優先順位が高い隣接セル“ｂ”のＱ_offset_s_nを相対的に優先順位が低い隣接セル“ａ”のものより小さい値に指定する。
【００４２】
すなわち、ステップ６５０で、前記ＵＥはサービングセルのＲ_ｓより大きい値のＲ_ｎを有する候補セルが存在するかを判断する。前記判断結果、サービングセルのＲ_ｓより大きい値のＲ_ｎを有する候補セルが存在する場合、前記ＵＥは該当候補セルをターゲットセルとして選択する。
【００４３】
ステップ６６０で、前記ＵＥは前記ターゲットセルに対するＭＴＣＨ制御情報(ＵＥが受信しようとするＭＴＣＨの無線チャンネル情報)を貯蔵している場合、前記情報を用いて前記ターゲットセルに移動して前記ターゲットセルのＭＴＣＨに転換する。仮に、前記ターゲットセルのＭＴＣＨ制御情報を備えていない場合、前記ターゲットセルのＭＴＣＨ制御情報を収得するために必要な動作を行う。
【００４４】
以下、ＵＥがターゲットセルのＭＴＣＨ制御情報を取得するためにＭＣＣＨの構造に関連した本発明の好ましい実施例について説明する。
第１実施例
図７は本発明の第１実施例によるＳＩＢを示している。第１実施例でＭＴＣＨ制御情報はＰ-ＣＣＰＣＨを通じて伝送される。このために、第１実施例でＭＴＣＨの受信に必要な情報を保有しており、Ｐ-ＣＣＰＣＨを通じて伝送されるＳＩＢ_ＭＴＣＨ７３０を使用する。
【００４５】
図７を参照すれば、ＲＮＣは自分が管理するセルの各々のためにSIB_MTCH７３０を構成し、前記SIB_MTCH７３０を該当セルを管理する各々のノードＢに提供する。いずれか一つのSIB_MTCHが変更される場合、変更情報が該当Node Ｂに伝送される。
【００４６】
前記SIB_MTCH７３０にはＭＢＭＳサービス別にＭＴＣＨ制御情報が含まれる。仮に、特定のセルでｎ個のＭＢＭＳサービスが提供されると、前記セルから放送されるSIB_MTCH７３０にはｎ個のＭＴＣＨ制御情報が含まれる。前記ＭＴＣＨ制御情報には、該当ＭＴＣＨを通じて伝送されるＭＢＭＳストリームの識別子であるＭＢＭＳ ＩＤ７３１と、該当ＭＴＣＨを通じて伝送されるＭＢＭＳストリームのために構成されたパケットデータコンバージョンスプロトコル(Packet Data Convergence Protocol:ＰＤＣＰ)に関する情報７３２と、該当ＭＴＣＨを通じて伝送されるＭＢＭＳストリームのために構成された無線リンク制御(Radio Link Control:ＲＬＣ)個体に関する情報７３３と、該当ＭＴＣＨを通じて伝送されるＭＢＭＳストリームのトランスポートフォーマットに関するトランスポートフォーマットセット(Transport Format Set:ＴＦＳ)７３４と、該当ＭＴＣＨを伝送するコードチャンネルのＳＦ(Spreading Factor)及びコード番号７３５とが含まれる。
【００４７】
ＵＥは前記SIB_MTCH７３０を通じて獲得したＭＴＣＨ制御情報を用いて該当セルのＭＴＣＨをアクセスして所望のＭＢＭＳサービスを利用する。
SIB_MTCH７３０の受信前に、前記ＵＥはＳＩＢ３/４ ７１０とＳＩＢ１１/１２ ７２０からセル再選択のための情報を取得する。前記ＳＩＢ３/４にはＱ_qualmin７１１、Ｑ_rxlevmin７１２及びＱ_hyst７１３が含まれる。上述したように、前記Ｑ_qualmin７１１はＰ-ＣＰＩＣＨの最小Ｅｃ/Ｎｏを示し、前記Ｑ_rxlevmin７１２はＰ-ＣＰＩＣＨの最小ＲＳＣＰを意味する。さらに、前記Ｑ_hyst７１３は隣接セルよりサービングセルに優先順位を与えるために提供される値である。
【００４８】
さらに、前記ＳＩＢ３/４には、隣接セルに対するＭＣＣＨ制御情報の受信時点とセル再選択判断基準を指定する基準ＭＢＭＳパラメータ(Criteria_MBMSパラメータ)７１４が含まれる。例えば、前記基準ＭＢＭＳパラメータ７１４は候補セルのうち、ターゲットセルの決定においてＰ-ＣＰＩＣＨのＲＳＣＰを利用するか、Ｅｃ/Ｎｏを利用するかを示すビットが含まれる。
【００４９】
ＳＩＢ１１/１２ ７２０には隣接セルに対する情報が含まれる。前記隣接セルの情報には隣接セル別にＱ_offset_s_n７２１、Ｐ-ＣＰＩＣＨの受信に必要な情報７２２及びＭＢＭＳ有用性(MBMS_availablity)７２３情報が含まれる。前記Ｑ_offset_s_n７２１はセル別に再選択優先順位を与えるための値である。前記Ｐ-ＣＰＩＣＨ情報７２２は一種のセル識別子の役割を行い、該当セルのプライマリースクランブリングコード(Primary scrambling code)情報を含む。前記MBMS_availabilityは該当隣接セルでＭＢＭＳサービスが提供されているかを示す情報である。特定の隣接セルがＭＢＭＳサービスを提供しなければ、ＵＥは前記隣接セルが基準ＭＢＭＳ条件を満たすとしても、前記隣接セルを候補セルとして考慮しない。ここで、“候補セルとして考慮する”とはＵＥが該当隣接セルのＭＴＣＨ関連制御情報を受信して予め貯蔵することを意味する。
【００５０】
図８Ａ及び図８Ｂは、本発明の第１実施例によるＵＥの動作を示したフローチャートである。まず、ＵＥが隣接セルのＭＴＣＨ関連制御情報を取得する動作について図８Ａを用いて説明する。ここで、ＵＥはサービングセルでＭＢＭＳサービスを利用しながら、サービングセルのＳＩＢ３/４とＳＩＢ１１/１２を既に獲得したと仮定する。
【００５１】
ステップ８２０で、ＵＥは隣接セルのＰ-ＣＰＩＣＨ信号に対する測定を行う。前記隣接セルに対する情報はサービングセルのＳＩＢ１１/１２を通じて受信され、前記測定対象はＳＩＢ３/４を通じて受信される。ステップ８２０で測定されるパラメータはＥｃ/Ｎｏ又はＱ_qualmeasとＲＳＣＰ又はＱ_rxlevmeasである。
【００５２】
前記隣接セルに対するＱ_qualmeasとＱ_rxlevmeasを測定した前記ＵＥは、ステップ８２５で、前記隣接セルのうち、一つが基準ＭＢＭＳ条件を満たすかを判断する。前記“基準ＭＢＭＳ条件”とは、ＲＳＣＰ測定値(Ｑ_rxlevmeas)がＳＩＢ３/４を通じて認知したＰ-ＣＰＩＣＨ ＲＳＣＰ最小値(Ｑ_rxlevmin)より大きく、Ｅｃ/Ｎｏ測定値(Ｑ_qualmeas)がＳＩＢ３/４を通じて認知したＰ-ＣＰＩＣＨ Ｅｃ/Ｎｏ最小値(Ｑ_qualmin)より大きいかを示すことである。
【００５３】
前記判断結果、ＲＳＣＰ測定値(Ｑ_rxlevmeas)が前記ＲＳＣＰ最小値(Ｑ_rxlevmin)より大きく、Ｅｃ/Ｎｏ測定値(Ｑ_qualmeas)が前記Ｅｃ/Ｎｏ最小値(Ｑ_qualmin)より大きい隣接セルが存在すれば、前記ＵＥは前記基準ＭＢＭＳ条件を満たす隣接セルを候補セルとして見なし、ステップ８３０に移動する。しかし、候補セルが存在しなければ、前記ＵＥはステップ８２０に復帰する。この際、前記ＵＥは前記ＳＩＢ１１/１２に含まれて伝送される前記隣接セルのＭＢＭＳ有用性情報を利用することができる。すなわち、前記隣接セルのＭＢＭＳ有用性が真(TRUE)である場合のみ、ステップ８３０に進行し、偽(FALSE)である場合はステップ８２０に戻る。
【００５４】
ステップ８３０で、前記ＵＥは前記候補セルのＭＩＢを受信して解読する。前記ＭＩＢは８０ｍｓの単位で放送され、Ｐ-ＣＣＰＣＨを通じて伝送されるＳＩＢのスケジューリング情報などを保有している。ステップ８３５で前記ＵＥは前記ＭＩＢからSIB_MTCHのスケジューリング情報を獲得する。ステップ８４０で、ＵＥは前記スケジューリング情報により前記SIB_MTCHを受信して解読する。
【００５５】
ステップ８４５で、前記ＵＥは前記SIB_MTCHに前記ＵＥが受信しようとするＭＢＭＳサービスのＭＴＣＨ制御情報が存在すれば、前記ＭＴＣＨ制御情報をMTCH_INFOとして貯蔵し、ステップ８２０に戻る。
【００５６】
図８Ｂは、ＵＥが特定のターゲットセルを再選択する動作を示したフローチャートである。図８Ｂの動作は図８Ａに示した動作と平行に又はその後に行われることができる。
図８Ｂを参照すれば、ステップ８５０で、前記ＵＥはサービングセル及び隣接セルのＰ-ＣＰＩＣＨに対する測定を始める。前記ステップ８５０の測定はステップ８２０の測定と本質的に同じである。好ましくは、ＵＥは隣接セル又はステップ８２５で確認された候補セルのＰ-ＣＰＩＣＨのＲＳＣＰとＥｃ/Ｎｏを測定する。ステップ８５５で、前記ＵＥは前記測定値を用いて候補セルとサービングセルの優先順位を決める。前記優先順位は前記候補セルに対して計算されたＲ_ｎをサービングセルに対して計算されたＲ_ｓと比較することにより決定される。仮に、任意の候補セルＸのＲ_ｎがサービングセルのＲ_ｓより大きければ、ステップ８６０に進行し、Ｒ_ｓがすべての候補セルのＲ_ｎより大きい場合はステップ８５０に復帰する。ここで、サービングセルのＲ_ｓより高いＲ_ｎを有する候補セルのうち、最も大きい値を有する候補セルをターゲットセルとして選択する。
【００５７】
ステップ８６０で、前記ＵＥはMTCH_INFOに前記ターゲットセルのＭＴＣＨの受信のための制御情報が貯蔵されているかを確認し、その確認結果、貯蔵されていると、ステップ８６５で前記ＭＴＣＨ制御情報を用いて受信機を再構成し、前記ターゲットセルのＭＴＣＨを通じて伝送されるＭＢＭＳサービスデータストリームの受信を始める。
【００５８】
上述した第１実施例で、ＭＴＣＨ制御情報はＰ-ＣＣＰＣＨのSIB_MTCHを通じて伝送されるので、前記ＵＥが候補セルのＭＴＣＨ関連情報取得を迅速に行える。しかし、Ｐ-ＣＣＰＣＨの容量は制限されるので、一つのセルが多数のＭＢＭＳサービスを提供する場合、前記多数のＭＢＭＳサービスのためのすべてのSIB_MTCHの伝送が容易でない。
【００５９】
第２実施例
第２実施例は前記第１実施例の短所を解消するためのものであり、前記Ｐ-ＣＣＰＣＨの容量問題を解決するためにＭＢＭＳサービス関連情報をＳ-ＣＣＰＣＨを通じて放送する。第２実施例でＭＢＭＳサービスのためのＭＣＣＨ制御情報はＳ-ＣＣＰＣＨにマッピングされるＭＣＣＨを通じて周期的に伝送される。前記ＭＣＣＨのスケジューリング情報はＰ-ＣＣＰＣＨのSIB_MCCHを通じて伝送される。前記Ｓ-ＣＣＰＣＨ関連情報はＳＩＢ５/６を通じてセル内のＵＥに伝送される。
【００６０】
すなわち、ＵＥは基準ＭＢＭＳ条件に応じて候補セルを決定した後、前記候補セルのＭＩＢを受信し、前記ＭＩＢを用いてＰ-ＣＣＰＣＨに含まれているSIB_MCCHとＳＩＢ５/６を受信する。その後、ＵＥは前記ＳＩＢ５/６と前記SIB_MCCHを用いてＳ-ＣＣＰＣＨにマッピングされたＭＣＣＨを受信して前記候補セルのＭＴＣＨ関連制御情報を得る。
【００６１】
図９は本発明の第２実施例を支援するために必要な情報を示している。図９を参照すれば、ＭＣＣＨのスケジューリング情報はSIB_MCCH９０５を通じてセル内のＵＥに公知される。前記ＭＣＣＨデータ９２０はＳ-ＣＣＰＣＨを通じて伝送される。前記Ｓ-ＣＣＰＣＨの構成はセル別に多様に行われるので、前記Ｓ-ＣＣＰＣＨにＭＣＣＨを対応させる方法も多様に定義できる。
【００６２】
図１０はＭＣＣＨの伝送に対する一つの好ましい実施例を示した図であり、ＭＣＣＨがＳ-ＣＣＰＣＨの特定時間区間にマッピングされる構造を示した。図１０を参照すれば、ＵＥはＭＢＭＳサービスを支援されるためにターゲットセルを選択すれば、前記選択されたターゲットセルのＰ-ＣＣＰＣＨで伝送されるＳＩＢ５/６ ９１０を通じてＳ-ＣＣＰＣＨの関連情報を得る。さらに、ＵＥは前記ターゲットセルのＰ-ＣＣＰＣＨで伝送されるＳＩＢ_ＭＣＣＨ ９０５を通じて前記Ｓ-ＣＣＰＣＨにマッピングされるＭＣＣＨのスケジューリング情報を得る。その後、ＵＥは前記スケジューリング情報を用いてＭＣＣＨ９２０を通じて伝送されるＭＴＣＨ制御情報を受信する。
【００６３】
前記ＭＣＣＨデータ９２０は該当セルで提供するＭＢＭＳサービスの各々に対するＭＴＣＨ制御情報９２１，９２２を含む。前記ＭＴＣＨ制御情報には、ＭＴＣＨを通じて伝送されるＭＢＭＳストリームの識別子であるＭＢＭＳ ＩＤと、ＭＴＣＨを通じて伝送されるＭＢＭＳストリームのために構成されたパケットデータコンバージョンスプロトコル(ＰＤＣＰ)に関する情報と、該当ＭＴＣＨを通じて伝送されるＭＢＭＳストリームのために構成された無線リンク制御(ＲＬＣ)に関する情報と、該当ＭＴＣＨを通じて伝送されるＭＢＭＳストリームのトランスポートフォーマットに関するトランスポートフォーマットセット(ＴＦＳ)と、該当ＭＴＣＨを伝送するコードチャンネルのＳＦ及びコード番号とが含まれる。
【００６４】
前記ＳＩＢ５/６ ９１０はセルを構成する共通チャンネル、すなわち、Ｓ-ＣＣＰＣＨとＰＲＡＣＨ(Packet Random Access Channel)などに対する情報９１１，９１７を含む。前記Ｓ-ＣＣＰＣＨにＰＣＨ(Paging Channel)とＦＡＣＨ(Forward Access Channel)などの伝送チャンネルが多重化される場合、各々のトランスポートチャンネルに対するＴＦＳ９１３，９１４がＳＩＢ５/６ ９１０を通じて公知される。さらに、前記Ｓ-ＣＣＰＣＨが伝送されるコードチャンネルのＳＦとコード番号９１５、Ｓ-ＣＣＰＣＨに多重化されるトランスポートチャンネルのＴＦＣＳ(Transport Format Combination Set)情報９１２も前記ＳＩＢ５/６ ９１０を通じて公知される。
【００６５】
前記ＳＩＢ_ＭＣＣＨ９０５には、Ｓ-ＣＣＰＣＨにマッピングされるＭＣＣＨのスケジューリング情報であるMCCH_REP９０６、 MCCH_POS９０７及びMCCH_COUNT９０８などのパラメータが含まれる。
【００６６】
図１０を参照すれば、ＭＣＣＨデータ９２０を保有しているＭＣＣＨフレーム９３０，９５０はＳ-ＣＣＰＣＨ上でMCCH_REP９０６の周期ごとにMCCH_COUNT９０８の長さで放送される。ＭＣＣＨフレーム９３０，９５０の開始点はMCCH_POS９０７である。前記MCCH_REP９０６とMCCH_COUNT９０８の単位は例えば１０ｍｓの長さを有する無線フレームである。前記MCCH_POS９０７は該当セルのＳＦＮ(System Frame Number)として表現される。前記ＳＦＮはＰ-ＣＣＰＣＨを通じて放送される値であり、０〜４０９５の間の値を有する無線フレーム単位の値である。
【００６７】
ＵＥは前記MCCH_POS９０７、MCCH_REP９０６、MCCH_COUNT９０８により、該当セルのＭＣＣＨデータ９２０を受信する。すなわち、ＵＥはMCCH_POS９０７＋ｋ*MCCH_REP９０６(k=0，．．．)であるＳＦＮからMCCH_COUNTだけ受信されるＳ-ＣＣＰＣＨのデータをＭＣＣＨデータ９２０として見なす。前記ＭＣＣＨはトランスポートチャンネルであるＦＡＣＨにマッピングされうる。
【００６８】
図１１Ａと図１１Ｂは、本発明の第２実施例によるＵＥの動作を示している。まず、ＵＥが隣接セルのＭＴＣＨ制御情報を取得する動作に対して図１１Ａを用いて説明する。ここで、ＵＥはサービングセルからＭＢＭＳサービスを利用しながら、サービングセルのＳＩＢ３/４とＳＩＢ１１/１２を既に取得したと仮定する。前記ＳＩＢ３/４は隣接セルに対するＭＣＣＨ制御情報を受信する時点とセル再選択判断基準を指定する基準ＭＢＭＳパラメータを含む。さらに、前記ＳＩＢ１１/１２には測定対象となる隣接セルの情報、具体的にはセル識別子とＰ-ＣＰＩＣＨ情報が含まれる。前記ＳＩＢ３/４と前記ＳＩＢ１１/１２に含まれる情報は図７を参照して説明した通りである。
【００６９】
図１１Ａを参照すれば、ステップ１０２０で、ＵＥは隣接セルのＰ-ＣＰＩＣＨに対する測定を行う。前記隣接セルに対する情報はサービングセルのＳＩＢ１１/１２を通じて受信され、前記測定対象はサービングセルのＳＩＢ３/４を通じて受信される。ステップ１０２０で測定されるパラメータはＥｃ/Ｎｏ又はＱ_qualmeasとＲＳＣＰ又はＱ_rxlevmeasがある。
【００７０】
前記隣接セルに対するＱ_qualmeasとＱ_rxlevmeasを測定した前記ＵＥは、ステップ１０２５で、前記隣接セルのうち、一つが基準ＭＢＭＳ条件を満たすかを判断する。前記“基準ＭＢＭＳ条件”とは、ＲＳＣＰ測定値(Ｑ_rxlevmeas)がＳＩＢ３/４を通じて認知したＰ-ＣＰＩＣＨ ＲＳＣＰ最小値(Ｑ_rxlevmin)より大きく、Ｅｃ/Ｎｏ測定値(Ｑ_qualmeas)がＳＩＢ３/４を通じて認知したＰ-ＣＰＩＣＨ Ｅｃ/Ｎｏ最小値(Ｑ_qualmin)より大きいかを示すことである。
【００７１】
前記判断結果、ＲＳＣＰ測定値(Ｑ_rxlevmeas)が前記ＲＳＣＰ最小値(Ｑ_rxlevmin)より大きく、Ｅｃ/Ｎｏ測定値(Ｑ_qualmeas)が前記Ｅｃ/Ｎｏ最小値(Ｑ_qualmin)より大きい隣接セルが存在すれば、前記ＵＥは前記基準ＭＢＭＳ条件を満たす隣接セルを候補セルとして見なし、ステップ１０３０に移動する。しかし、候補セルが存在しなければ、前記ＵＥはステップ１０２０に復帰する。この際、前記ＵＥは前記ＳＩＢ１１/１２に含まれて伝送される前記隣接セルのＭＢＭＳ有用性情報を利用できる。
【００７２】
ステップ１０３０で、前記ＵＥは前記候補セルのＰ-ＣＣＰＣＨ上でＭＩＢを受信して解読する。前記ＭＩＢは８０ｍｓの単位で放送され、Ｐ-ＣＣＰＣＨを通じて伝送されるＳＩＢのスケジューリング情報などを保有している。ステップ１０３５で、ＵＥは前記ＭＩＢからSIB_MCCH９０５とＳＩＢ５/６ ９１０のスケジューリング情報を獲得する。ステップ１０４０で、前記ＵＥは前記スケジューリング情報を用いて前記候補セルのＰ-ＣＣＰＣＨ上で前記SIB_MCCH９０５とＳＩＢ５/６ ９１０を受信する。上述したように、前記ＳＩＢ５/６ ９１０は前記Ｓ-ＣＣＰＣＨ受信に必要な前記Ｓ-ＣＣＰＣＨのコード情報及びトランスポートフォーマット情報などを含み、前記SIB_MCCH９０５はＭＣＣＨデータ９２０がＳ-ＣＣＰＣＨに放送される時点を示すパラメータを含む。
【００７３】
ステップ１０４５で、前記ＵＥは前記ＳＩＢ５/６ ９１０及び前記SIB_MCCH９０５を用いてＳ-ＣＣＰＣＨ上のＭＣＣＨデータ９２０を受信して解読する。ステップ１０５０で、前記ＵＥは前記ＭＣＣＨデータ９２０に前記ＵＥが受信しようとするＭＢＭＳサービスのＭＴＣＨ制御情報が存在すれば、前記ＭＴＣＨ制御情報をMTCH_INFOとして貯蔵し、ステップ１０２０に戻る。
【００７４】
図１１Ｂは、ＵＥが特定のターゲットセルを再選択する動作を示したフローチャートである。図１１Ｂの動作は図１１Ａに示した動作と平行に又はその後に行われることができる。
図１１Ｂを参照すれば、ステップ１０５５で、前記ＵＥはサービングセル及び隣接セルのＰ-ＣＰＩＣＨに対する測定を始める。ステップ１０５５の測定は、ステップ１０２０の測定と本質的に同一である。好ましくは、ＵＥは隣接セル又はステップ１０２５で確認された候補セルのＰ-ＣＰＩＣＨのＲＳＣＰとＥｃ/Ｎｏを測定する。
【００７５】
ステップ１０６０で、前記ＵＥは前記測定値を用いて候補セルとサービングセルの優先順位を決定する。前記優先順位は前記候補セルに対して計算されたＲ_ｎをサービングセルに対して計算されたＲ_ｓと比較することにより決定される。仮に、任意の候補セルＸのＲ_ｎがサービングセルのＲ_ｓより大きい場合はステップ１０６５に進行し、Ｒ_ｓがすべての候補セルのＲ_ｎより大きい場合はステップ１０５５に復帰する。ここで、サービングセルのＲ_ｓより高いＲ_ｎを有する隣接セルをターゲットセルとして選択する。
【００７６】
ステップ１０６５で、前記ＵＥはMTCH_INFOに前記ターゲットセルのＭＴＣＨ制御情報が貯蔵されているかを確認し、貯蔵されている場合はステップ１０７０で前記ＭＴＣＨ制御情報を用いて受信機を再構成し、前記ターゲットセルのＭＴＣＨで伝送されるＭＢＭＳサービスデータストリームの受信を始める。
【００７７】
上述した第２実施例では、ＵＥが基準ＭＢＭＳ条件を満たす隣接セル(すなわち、候補セル)に対してＭＴＣＨ制御情報を獲得するために一定の時間が必要である。すなわち、ＵＥは隣接セルに対する信号値を測定し、前記測定値が所定の条件を満たす場合、該当候補セルのＰ-ＣＣＰＣＨを受信する。これは前記候補セルのＰ-ＣＣＰＣＨとＳ-ＣＣＰＣＨを受信しなければ、前記候補セルのＭＴＣＨ制御情報を獲得できないからである。
【００７８】
すなわち、第２実施例でＵＥは候補セルのＭＩＢを受信し、ＳＩＢ５/６とＳＩＢ_ＭＣＣＨを受信した後、ＭＣＣＨを通じて伝送されるＭＴＣＨ制御情報を獲得すべきである。しかし、前記候補セルのＭＴＣＨ制御情報を完全に獲得しない状況で特定のターゲットセルにセル再選択を行うと、前記ＵＥはＭＴＣＨ制御情報の取得を完了した後、前記ターゲットセルのＭＴＣＨを受信すべきなので、データの損失が不可避である。
【００７９】
第３実施例
本発明の第３実施例では、ＵＥが隣接セルのMIB, SIB_MCCH及びＳＩＢ５/６を受信せず、隣接セルのＭＣＣＨをアクセスするように、サービングセルのＭＣＣＨを通じて隣接セルのＭＣＣＨ構成情報を伝送する方案を提示する。ＵＥは特定の隣接セルが候補セルとして認識されるとき、予め貯蔵されたＭＣＣＨ構成情報を用いて前記候補セルのＭＣＣＨデータを即時受信できるので、ＭＴＣＨ情報の取得にかかる時間を減らすことができる。
【００８０】
図１２は本発明の第３実施例を支援するために必要な情報を示している。図１２を参照すれば、ＭＣＣＨデータ１１１０はサービングセルのＭＴＣＨ制御情報(MTCH_info)１１２０とともに、隣接セルのＭＣＣＨ構成情報(MCCH_Neighbor_info)１１１５を含む。前記ＭＴＣＨ制御情報１１２０は該当サービングセルで提供するＭＢＭＳサービスのための情報１１２１、１１２２を含む。前記ＭＣＣＨ構成情報１１１５は隣接セルのための情報を含む。
【００８１】
前記ＭＣＣＨデータ１１１０はＳ-ＣＣＰＣＨの所定の時間区間を通じて伝送される。好ましくは、一例として、ＭＣＣＨは、図１０に示したように、Ｓ-ＣＣＰＣＨの特定時間区間にマッピングされ、前記時間区間に対する情報はSIB_MCCH１１０５を通じてＵＥに通報される。
【００８２】
ＵＥはＭＢＭＳサービスを支援されるために最初に特定のサービングセルを選択し、前記選択されたサービングセルのＰ-ＣＣＰＣＨから伝送されるＳＩＢ５/６(図９の９１０と類似)を通じてＳ-ＣＣＰＣＨ関連情報を取得し、ＭＣＣＨデータを取得する。さらに、ＵＥは前記サービングセルのＭＣＣＨを通じて受信しようとするＭＢＭＳサービスの構成情報１１１５を取得し、周辺のセルのＭＣＣＨデータ(MCCH_neighbor)を取得する。このようなデータにより、ＵＥは周辺のセルを再選択するとき、周辺のセルのＭＣＣＨに迅速に接近することができる。
【００８３】
前記MCCH_Neighbor_info１１１５には隣接セルのＳ-ＣＣＰＣＨに関する情報と、前記隣接セルのＳ-ＣＣＰＣＨにマッピングされるＭＣＣＨのスケジューリング情報が含まれる。言い換えれば、MCCH_Neighbor_info１１１５は隣接セルのＳＩＢ５/６とSIB_MCCH情報を含む。
【００８４】
ＵＥはサービングセルのＭＣＣＨを通じて伝送されるMCCH_Neighbor_info１１１５を用いて候補セルのＭＣＣＨを即時アクセスし、前記ＭＴＣＨ制御情報を取得する。
前記MCCH_Neighbor_info１１１５は隣接セル別にプライマリースクランブリングコード、ＭＣＣＨがマッピングされるＳ-ＣＣＰＣＨ情報(FACH/PCH TFCS、PCH/FACH TFS、SF、code number)及び隣接セルのＭＣＣＨスケジューリング情報(SIB_MCCHx_REP、SIB_MCCHx_POS、SIB_MCCHx_COUNT)を含む。ここで、文字“ｘ”は隣接セルインデックスを示す。一方、サービングセルのＭＣＣＨに対するスケジューリング情報はSIB_MCCH１１０５を通じてＵＥに公知される。前記SIB_MCCH１１０５にはMCCH_REP１１３０、MCCH_POS１１３２及びMCCH_COUNT１１３４などのＭＣＣＨスケジューリング情報が含まれる。前記サービングセル及び隣接セルのスケジューリング情報は図１０を参照して既に説明した通りである。
【００８５】
すなわち、ＭＣＣＨデータ１１１０はＳ-ＣＣＰＣＨでMCCH_REP１１３０の周期ごとにMCCH_COUNT１１３４の長さで放送される。ＭＣＣＨデータ１１１０の開始点はMCCH_POS１１３２である。前記MCCH_REP１１３０とMCCH_COUNT１１３４の単位は、例えば、１０msの長さを有する無線フレームである。前記MCCH_POS１１３２は該当セルのＳＦＮ(System Frame Number)として表現される。前記ＳＦＮはＰ-ＣＣＰＣＨを通じて放送される値であり、０〜４０９５の間の値を有する無線フレーム単位の値である。
【００８６】
ＵＥは前記MCCH_POS１１３２、MCCH_REP１１３０、MCCH_COUNT１１３４により、Ｓ-ＣＣＰＣＨ上のＭＣＣＨデータ１１１０を受信する。すなわち、ＵＥはMCCH_POS１１３２＋ｋ*MCCH_REP１１３０(ｋ＝０，．．．)であるＳＦＮからMCCH_COUNT１１３４だけ受信されるＳ-ＣＣＰＣＨデータをＭＣＣＨデータ１１１０として見なす。前記ＭＣＣＨはトランスポートチャンネルであるＦＡＣＨにマッピングされうる。
【００８７】
図１３Ａ乃至図１３Ｃは本発明の第３実施例によるＵＥの動作を示している。まず、ＵＥがサービングセルで隣接セルのＭＣＣＨ構成情報を取得する動作を図１３Ａを用いて説明する。
図１３Ａを参照すれば、ステップ１２０５で、ＵＥはサービングセルからＭＴＣＨを通じてＭＢＭＳサービスを提供される。同時に、ステップ１２１０で、前記ＵＥは前記サービングセルから周期的にＭＢＭＳサービスのための制御情報を受信する。すなわち、前記ＵＥは前記サービングセルのＰ-ＣＣＰＣＨを通じて伝送されるＳＩＢ３/４、ＳＩＢ５/６、ＳＩＢ１１/１２及びSIB_MCCHを受信する。前記ＳＩＢ３/４は隣接セルに対するセル再選択判断基準を指定する基準ＭＢＭＳパラメータを含み、前記ＳＩＢ１１/１２は測定対象となる隣接セルの情報(セル識別子とＰ-ＣＰＩＣＨ情報)を含む。前記ＳＩＢ３/４と前記ＳＩＢ１１/１２に含まれる情報は図７を参照して既に説明した通りである。さらに、前記ＳＩＢ_ＭＣＣＨは図１２の１１０５で示されたＭＣＣＨのスケジューリング情報を含む。
【００８８】
ステップ１２２０で、前記ＵＥは前記SIB_MCCH１１０５を用いて前記サービングセルから伝送されるＭＣＣＨデータ１１１０を受信する。前記ＭＣＣＨデータ１１１０は、図１０に示したように、Ｓ-ＣＣＰＣＨの特定時間区間を通じて伝送されることができ、前記特定時間区間はSIB_MCCHのスケジューリング情報により決定される。ステップ１２２５で、前記ＵＥは前記ＭＣＣＨデータ１１１０に含まれている隣接セルのＭＣＣＨ構成情報MCCH_Neighbor_info１１１５を獲得する。ステップ１２３０で、前記ＵＥは前記MCCH_Neighbor_info１１１５と前記ＳＩＢ３/４、ＳＩＢ１１/１２を通じて獲得した隣接セルに対する測定情報を貯蔵する。前記“測定情報”とは、隣接セルのセル識別子、Ｐ-ＣＰＩＣＨのプライマリースクランブリングコード、測定対象(ＲＳＣＰ及び/又はＥｃ/Ｎｏ)及び測定パラメータ(Ｑ_rxlevmin、Ｑ_qualmin、Ｑ_hyst、Ｑ_offset_s_nなど)を含む。
【００８９】
図１３Ａの動作後には、ＵＥの選択により図１３Ｂの隣接ＭＣＣＨ情報取得又は図１３Ｃのターゲットセル再選択動作が実行されることができる。
図１３Ｂを参照すれば、ステップ１２３５で、ＵＥはサービングセル及び隣接セルのＰ-ＣＰＩＣＨに対する測定を行う。前記隣接セルに対する情報はステップ１２１０で示したサービングセルのＳＩＢ１１/１２を通じて受信され、前記測定対象はステップ１２１０で示したサービングセルのＳＩＢ３/４を通じて受信される。ステップ１２３５で測定されるパラメータはＥｃ/Ｎｏ又はＱ_qualmeasとＲＳＣＰ又はＱ_rxlevmeasがある。
【００９０】
前記隣接セルに対するＱ_qualmeasとＱ_rxlevmeasを測定した前記ＵＥは、ステップ１２４０で、前記隣接セルのうち、一つが前記ＳＩＢ３/４を通じて与えられた規準ＭＢＭＳ条件を満たすかを判断する。前記“基準ＭＢＭＳ条件”とは、ＲＳＣＰ測定値(Ｑ_rxlevmeas)がＳＩＢ３/４を通じて認知したＰ-ＣＰＩＣＨ ＲＳＣＰ最小値(Ｑ_rxlevmin)より大きく、Ｅｃ/Ｎｏ測定値(Ｑ_qualmeas)がＳＩＢ３/４を通じて認知したＰ-ＣＰＩＣＨ Ｅｃ/Ｎｏ最小値(Ｑ_qualmin)より大きいかを示すことである。
【００９１】
前記判断結果、ＲＳＣＰ測定値(Ｑ_rxlevmeas)が前記ＲＳＣＰ最小値(Ｑ_rxlevmin)より大きく、Ｅｃ/Ｎｏ測定値(Ｑ_qualmeas)が前記Ｅｃ/Ｎｏ最小値(Ｑ_qualmin)より大きい隣接セルが存在すれば、前記ＵＥは前記基準ＭＢＭＳ条件を満たす隣接セルを候補セルとして見なし、ステップ１２４５に移動する。しかし、前記ＭＢＭＳ条件を満たす候補セルが存在しなければ、前記ＵＥはステップ１２３５に復帰する。この際、前記ＵＥは前記ＳＩＢ１１/１２に含まれて伝送される前記隣接セルのＭＢＭＳ有用性情報を利用できる。
【００９２】
ステップ１２４５で、前記ＵＥは候補セルのＭＣＣＨデータを受信する。ここで、ＵＥはステップ１２４０で決定された候補セルのＰ-ＣＣＰＣＨ上でＭＩＢとＳＩＢを獲得せず、ステップ１２２５で既に獲得したMCCH_Neighbor_info１１１５情報のうち、前記候補セルのＭＣＣＨ構成情報を用いて前記候補セルのＭＣＣＨデータを受信する。前記ＭＣＣＨ構成情報は該当候補セルのＳ-ＣＣＰＣＨ情報(FACH/PCH TFCS、FACH TFS、SF、code number)、前記Ｓ-ＣＣＰＣＨ上のＭＣＣＨスケジューリング情報(MCCH_REP、MCCH_POS、MCCH_COUNT)を含む。
【００９３】
ステップ１２５０で、前記ＵＥは前記ＭＣＣＨデータに前記ＵＥが受信しようとするＭＢＭＳサービスのＭＴＣＨ制御情報が存在すれば、前記ＭＴＣＨ制御情報をMTCH_INFOとして貯蔵し、ステップ１２３５に戻る。
【００９４】
図１３Ｃは、ＵＥが特定のターゲットセルを再選択する動作を示したフローチャートである。図１３Ｃの動作は図１３Ｂに示した動作と平行に又はその後に実行されうる。
図１３Ｃを参照すれば、ステップ１２５５で前記ＵＥは隣接セルのＰ-ＣＰＩＣＨに対する測定を始める。ステップ１２５５の測定は、ステップ１２３５の測定と本質的に同一である。好ましくは、ＵＥは前記隣接セル又はステップ１２４０で確認された候補セルのＰ-ＣＰＩＣＨのＲＳＣＰとＥｃ/Ｎｏを測定する。
【００９５】
ステップ１２６０で、前記ＵＥは前記測定値を用いて前記候補セルとサービングセルの優先順位を判断することにより、セル再選択手順の検出可否を決定する。前記優先順位は前記候補セルに対して計算されたＲ_ｎを前記サービングセルに対して計算されたＲ_ｓと比較することにより決定される。仮に、任意の候補セルＸのＲ_ｎがサービングセルのＲ_ｓより大きければ、セル再選択の検出として判断し、ステップ１２６５に進行し、Ｒ_ｓがすべての候補セルのＲ_ｎより大きい場合はステップ１２５５に復帰する。ここで、サービングセルのＲ_ｓより高いＲ_ｎを有する候補セルのうち、最も大きい値を有する候補セルをターゲットセルとして選択する。
【００９６】
ステップ１２６５で、前記ＵＥはMTCH_INFOに前記ターゲットセルのＭＴＣＨ制御情報が貯蔵されているかを確認し、前記確認結果、貯蔵されていると、ステップ１２７０で前記ＭＴＣＨ制御情報を用いて受信機を再構成し、前記ターゲットセルのＭＴＣＨで伝送されるＭＢＭＳサービスデータストリームの受信を開始する。
【００９７】
以上、本発明の詳細について具体的な実施形態に基づいて説明したが、本発明の範囲を逸脱しない限り、各種の変形が可能なのは明らかである。従って、本発明の範囲は、上記実施形態に限るものでなく、特許請求の範囲のみならず、その範囲と均等なものにより定められるべきである。
【図面の簡単な説明】
【００９８】
【図１】一般的なマルチメディアブロードキャスト/マルチキャストサービス(ＭＢＭＳ)を支援する移動通信システムの構造を概略的に示した図。
【図２】ＭＢＭＳを支援される使用者端末機でセル再選択問題が発生する時点を示した図。
【図３】本発明に適用される第１共通制御物理チャンネル(Ｐ-ＣＣＰＣＨ)の構造を示した図。
【図４】本発明に適用される第２共通制御物理チャンネル(Ｐ-ＣＣＰＣＨ)の構造を示した図。
【図５】一般的な移動通信システムで使用者端末でセル再選択動作を示したフローチャート。
【図６】本発明によるＭＢＭＳを支援する移動通信システムで使用者端末機でセル再選択動作を概略的に示したフローチャート。
【図７】本発明の第１実施例によるシステム情報ブロック(ＳＩＢ)の構造を示した図。
【図８Ａ】本発明の第１実施例による使用者端末機でセル再選択動作を示したフローチャート。
【図８Ｂ】本発明の第１実施例による使用者端末機でセル再選択動作を示したフローチャート。
【図９】本発明の第２実施例によるシステム情報ブロック(ＳＩＢ)の構造を示した図。
【図１０】本発明の第２実施例による第１共通制御物理チャンネル/第２共通制御物理チャンネルの構造を示した図。
【図１１Ａ】本発明の第２実施例による使用者端末機でセル再選択動作を示したフローチャート。
【図１１Ｂ】本発明の第２実施例による使用者端末機でセル再選択動作を示したフローチャート。
【図１２】本発明の第３実施例によるシステム情報ブロック(ＳＩＢ)の構造を示した図。
【図１３Ａ】本発明の第３実施例による使用者端末機でセル再選択動作を示したフローチャート。
【図１３Ｂ】本発明の第３実施例による使用者端末機でセル再選択動作を示したフローチャート。
【図１３Ｃ】本発明の第３実施例による使用者端末機でセル再選択動作を示したフローチャート。
【符号の説明】
【００９９】
１４０      ＲＮＣ
１６０      セル１
１６１      ＵＥ１
１７０      セル２
４１０      ＴＦＣＩ部分
４２０      データ部分
４３０      パイロット部分
【図１】
2004312750.tif 000003
【図２】
2004312750.tif 000004
【図３】
2004312750.tif 000005
【図４】
2004312750.tif 000006
【図５】
2004312750.tif 000007
【図６】
2004312750.tif 000008
【図７】
2004312750.tif 000009
【図８Ａ】
2004312750.tif 000010
【図８Ｂ】
2004312750.tif 000011
【図９】
2004312750.tif 000012
【図１０】
2004312750.tif 000013
【図１１Ａ】
2004312750.tif 000014
【図１１Ｂ】
2004312750.tif 000015
【図１２】
2004312750.tif 000016
【図１３Ａ】
2004312750.tif 000017
【図１３Ｂ】
2004312750.tif 000018
【図１３Ｃ】
2004312750.tif 000019
【外国語明細書】
2004312750.tif 000020
2004312750.tif 000021
2004312750.tif 000022
2004312750.tif 000023
2004312750.tif 000024
2004312750.tif 000025
2004312750.tif 000026
2004312750.tif 000027
2004312750.tif 000028
2004312750.tif 000029
2004312750.tif 000030
2004312750.tif 000031
2004312750.tif 000032
2004312750.tif 000033
2004312750.tif 000034
2004312750.tif 000035
2004312750.tif 000036
2004312750.tif 000037
2004312750.tif 000038
2004312750.tif 000039
2004312750.tif 000040
2004312750.tif 000041
2004312750.tif 000042
2004312750.tif 000043
2004312750.tif 000044
2004312750.tif 000045
2004312750.tif 000046
2004312750.tif 000047
2004312750.tif 000048
2004312750.tif 000049
2004312750.tif 000050
2004312750.tif 000051
2004312750.tif 000052
2004312750.tif 000053
2004312750.tif 000054
2004312750.tif 000055
2004312750.tif 000056
2004312750.tif 000057
2004312750.tif 000058
2004312750.tif 000059
2004312750.tif 000060
2004312750.tif 000061
2004312750.tif 000062
2004312750.tif 000063
2004312750.tif 000064
2004312750.tif 000065
2004312750.tif 000066
2004312750.tif 000067
2004312750.tif 000068
2004312750.tif 000069
2004312750.tif 000070
2004312750.tif 000071
2004312750.tif 000072
2004312750.tif 000073
2004312750.tif 000074
2004312750.tif 000075